(57)【要約】下着は、実質的にチューブ状を有し、使用者の胴を少なくとも部分的に取り囲むように構成された本体を含む。本体は、本体の前表面周りのポーチ部とガセット部を含む。ポーチ部は、ポーチ部の側部で本体パネルに接続し、ポーチ部は、ポーチ部の第１の下方長手方向端部に丸みを帯びた下部外縁部を有しポーチ部のＵ字型の周囲を形成する。
2021535287.tif 000002
【特許請求の範囲】
【請求項１】
実質的にチューブ状を有し、使用者の胴を少なくとも部分的に取り囲むように構成された本体；を備え、
前記本体は：
前記本体の前表面周りのポーチ部であって、前記ポーチ部は、前記ポーチ部の側部で本体パネルに接続され、前記ポーチ部は、前記ポーチ部の第１の下方長手方向端部に丸みを帯びた下部外縁部を有し、前記ポーチ部のＵ字型の周囲を形成する、前記ポーチ部と；
前記ポーチ部の前記丸みを帯びた下部外縁部を少なくとも部分的に縁取るガセット部と；を備える、
下着。
【請求項２】
前記ポーチ部は、前記ポーチ部を前記ポーチ部の側部で前記本体パネルに接続する側部縫目と、前記丸みを帯びた下部外縁部に沿ってカーブした下部縫目とを備え、前記カーブした下部縫目は、前記ポーチ部を前記ガセット部に接続する、
請求項１に記載の下着。
【請求項３】
前記カーブした下部縫目から前記側部縫目への移行は、連続的であり、前記カーブした下部縫目と前記側部縫目との間の曲率の徐々の変化を含む、
請求項２に記載の下着。
【請求項４】
前記ガセット部は、前記ガセット部の前部に、前記ポーチ部から前記本体の下方長手方向端部に延在するガセット側部縫目を備え、前記ガセット側部縫目は、前記ポーチ部の前記側部縫目と前記カーブした下部縫目との交点で前記ポーチ部に接続される、
請求項２又は請求項３に記載の下着。
【請求項５】
前記丸みを帯びた下部外縁部の上方端部間の、前記ポーチ部の第１の長手方向下方幅は、前記ポーチ部の長手方向上半分における、前記ポーチ部の側部間の、前記ポーチ部の第２の長手方向上方幅よりも大きい、
請求項２〜請求項４のいずれかに記載の下着。
【請求項６】
前記ポーチ部の前記カーブした下部縫目は、前記カーブした下部縫目の長さの少なくとも一部に沿ってロックステッチを備える、
請求項２〜請求項５のいずれかに記載の下着。
【請求項７】
前記カーブした下部縫目は、前記カーブした下部縫目の全体の長さに沿って前記ロックステッチを備える、
請求項６に記載の下着。
【請求項８】
前記ポーチ部は、前記ポーチ部の前記第１の下方長手方向端部から第２の上方長手方向端部まで長手方向に延在する中央縫目を備える、
請求項１〜請求項７のいずれかに記載の下着。
【請求項９】
前記ポーチ部は、フライ開口部を備える、
請求項１〜請求項８のいずれかに記載の下着。
【請求項１０】
前記本体は、第１の脚部と前記第１の脚部に実質的に平行な第２の脚部を備え、前記第１の脚部と前記第２の脚部は、前記本体の第１の長手方向端部に向かって延在する、
請求項１〜請求項９のいずれかに記載の下着。
【請求項１１】
第１の長手方向端部の反対側の前記本体の第２の長手方向端部で前記本体に取り付けられたウエストバンドを更に備える、
請求項１〜請求項１０のいずれかに記載の下着。
【請求項１２】
前記ガセット部は、第１の脚部と第２の脚部の隙間に沿って少なくとも部分的に縫い付けられている、
請求項１０又は請求項１１に記載の下着。
【請求項１３】
前記下着は、ボクサーブリーフである、
請求項１〜請求項１２のいずれかに記載の下着。
【請求項１４】
前記ポーチ部、前記本体パネル、及び、前記ガセット部は、少なくとも５％のスパンデックスを備える生地から形成される、
請求項１〜請求項１３のいずれかに記載の下着。
【請求項１５】
下着のポーチ部を形成するステップであって、前記ポーチ部は、前記ポーチ部の第１の下方長手方向端部に丸みを帯びた下部外縁部を有するＵ字形の周囲を備える、前記形成するステップと；
前記ポーチ部を、前記ポーチ部の前記丸みを帯びた下部外縁部に少なくとも部分的に沿うカーブした下部縫目でガセット部に接続するステップと；
前記ポーチ部を、前記ポーチ部の側部縫目に沿って前記下着の本体パネルに接続するステップであって、前記側部縫目は、前記カーブした下部縫目の側端部から延在する、前記接続するステップと；を備える、
下着を作製する方法。
【請求項１６】
前記ガセット部のガセット側部縫目を本体部に接続するステップであって、前記ガセット側部縫目は、前記ガセット部の前部に配置され、前記ポーチ部から前記下着の下方長手方向端部まで延在し、前記ガセット側部縫目は、前記ポーチ部の前記側部縫目と前記カーブした下部縫目との交点で前記ポーチ部に接続される、前記接続するステップを備える、
請求項１５に記載の方法。
【請求項１７】
前記ポーチ部の前記カーブした下部縫目から前記側部縫目への移行は、連続的であり、前記カーブした下部縫目と前記側部縫目との間の曲率の徐々の変化を含む、
請求項１５又は請求項１６に記載の方法。
【請求項１８】
前記ポーチ部を前記カーブした下部縫目で前記ガセット部に接続するステップは、前記ポーチ部の前記丸みを帯びた下部外縁部に少なくとも部分的に沿うロックステッチで前記ポーチ部を前記ガセット部に接続するステップを備える、
請求項１５〜請求項１７のいずれかに記載の方法。
【請求項１９】
実質的にチューブ状を有し、使用者の胴を少なくとも部分的に囲むように構成された本体を備え、
前記本体は：
前記本体の前表面の周りのポーチ部であって、前記ポーチ部は、前記ポーチ部の第１の下方長手方向端部に丸みを帯びた下部外縁部を有するＵ字形の周囲を備える、前記ポーチ部と；
前記ポーチ部の前記丸みを帯びた下部外縁部を少なくとも部分的に縁取るガセット部であって、前記ガセット部は、前記ガセット部の前部に、前記ポーチ部の前記丸みを帯びた下部外縁部の側端部から前記本体の下方長手方向端部に延在する、ガセット側部縫目を備える、前記ガセット部と；を備える、
下着。
【請求項２０】
前記ポーチ部は、前記ポーチ部の側部で本体パネルに接続する、
請求項１９に記載の下着。
【請求項２１】
前記ガセット部は、前記ガセット側部縫目で本体パネルに接続する、
請求項１９又は請求項２０に記載の下着。
【発明の詳細な説明】
【技術分野】
【０００１】
［関連出願の相互参照］
本出願は、２０１８年６月２１日に提出された米国出願第１６／０１４，９２５号の優先権を請求し、前記米国出願の全内容は、参照により本明細書に組み込まれる。
【０００２】
本開示は、下着に関し、例えば男性用下着又はアンダーウェアに関する。
【背景技術】
【０００３】
下着には、ボクサーショーツ、ブリーフ、組合せのボクサーブリーフ、ベースレイヤー又はサーマルロングアンダーウェア、及び男性用の他の下着のタイプなど、多くの種類が存在する。それぞれのスタイルは、フィット感、快適さ、及びサポートの異なる組合せを提供する。
【発明の概要】
【０００４】
本開示は、下着、特に男性用下着を記載する。
【０００５】
第１の態様では、下着は、実質的にチューブ状を有し、使用者の胴を少なくとも部分的に取り囲むように構成された本体；を備え、前記本体は：前記本体の前表面周りのポーチ部であって、前記ポーチ部は、前記ポーチ部の側部で本体パネルに接続され、前記ポーチ部は、前記ポーチ部の第１の下方長手方向端部に丸みを帯びた下部外縁部を有し、前記ポーチ部のＵ字型の周囲を形成する、前記ポーチ部と；前記ポーチ部の前記丸みを帯びた下部外縁部を少なくとも部分的に縁取るガセット（まち）部と；を備える。
【０００６】
第２の態様では、第１の態様によると、前記ポーチ部は、前記ポーチ部を前記ポーチ部の側部で前記本体パネルに接続する側部縫目と、前記丸みを帯びた下部外縁部に沿ってカーブした下部縫目とを備え、前記カーブした下部縫目は、前記ポーチ部を前記ガセット部に接続する。
【０００７】
第３の態様では、第２の態様によると、前記カーブした下部縫目から前記側部縫目への移行は、連続的であり、前記カーブした下部縫目と前記側部縫目との間の曲率の徐々の変化を含む。
【０００８】
第４の態様では、第２の態様又は第３の態様によると、前記ガセット部は、前記ガセット部の前部に、前記ポーチ部から前記本体の下方長手方向端部に延在するガセット側部縫目を備え、前記ガセット側部縫目は、前記ポーチ部の前記側部縫目と前記カーブした下部縫目との交点で前記ポーチ部に接続される。
【０００９】
第５の態様では、第２の態様〜第４の態様のいずれかによると、前記丸みを帯びた下部外縁部の上方端部間の、前記ポーチ部の第１の長手方向下方幅は、前記ポーチ部の長手方向上半分における、前記ポーチ部の側部間の、前記ポーチ部の第２の長手方向上方幅よりも大きい。
【００１０】
第６の態様では、第２の態様〜第５の態様のいずれかによると、前記ポーチ部の前記カーブした下部縫目は、前記カーブした下部縫目の長さの少なくとも一部に沿ってロックステッチを備える。
【００１１】
第７の態様では、第６の態様によると、前記カーブした下部縫目は、前記カーブした下部縫目の全体の長さに沿って前記ロックステッチを備える。
【００１２】
第８の態様では、第１の態様〜第７の態様のいずれかによると、前記ポーチ部は、前記ポーチ部の前記第１の下方長手方向端部から第２の上方長手方向端部まで長手方向に延在する中央縫目を備える。
【００１３】
第９の態様では、第１の態様〜第８の態様のいずれかによると、前記ポーチ部は、フライ（前立て）開口部を備える。
【００１４】
第１０の態様では、第１の態様〜第９の態様のいずれかによると、前記本体は、第１の脚部と前記第１の脚部に実質的に平行な第２の脚部を備え、前記第１の脚部と前記第２の脚部は、前記本体の第１の長手方向端部に向かって延在する。
【００１５】
第１１の態様では、第１の態様〜第１０の態様のいずれかによると、前記下着は、前記第１の長手方向端部の反対側の前記本体の第２の長手方向端部で前記本体に取り付けられたウエストバンドを備える。
【００１６】
第１２の態様では、第１０の態様又は第１１の態様によると、前記ガセット部は、前記第１の脚部と前記第２の脚部の隙間に沿って少なくとも部分的に縫い付けられている。
【００１７】
第１３の態様では、第１の態様〜第１２の態様のいずれかによると、前記下着は、ボクサーブリーフである。
【００１８】
第１４の態様では、第１の態様〜第１３の態様のいずれかによると、前記ポーチ部、前記本体パネル、及び、前記ガセット部は、少なくとも５％のスパンデックスを備える生地から形成される。
【００１９】
第１５の態様では、下着を作製する方法は、下着のポーチ部を形成するステップであって、前記ポーチ部は、前記ポーチ部の第１の下方長手方向端部に丸みを帯びた下部外縁部を有するＵ字形の周囲を備える、前記形成するステップと；前記ポーチ部を、前記ポーチ部の前記丸みを帯びた下部外縁部に少なくとも部分的に沿うカーブした下部縫目でガセット部に接続するステップと；前記ポーチ部を、前記ポーチ部の側部縫目に沿って前記下着の本体パネルに接続するステップであって、前記側部縫目は、前記カーブした下部縫目の側端部から延在する、前記接続するステップと；を備える。
【００２０】
第１６の態様では、第１５の態様によると、前記方法は、前記ガセット部のガセット側部縫目を本体部に接続するステップであって、前記ガセット側部縫目は、前記ガセット部の前部に配置され、前記ポーチ部から前記下着の下方長手方向端部まで延在し、前記ガセット側部縫目は、前記ポーチ部の前記側部縫目と前記カーブした下部縫目との交点で前記ポーチ部に接続される、前記接続するステップを備える。
【００２１】
第１７の態様では、第１５の態様又は第１６の態様によると、前記ポーチ部の前記カーブした下部縫目から前記側部縫目への移行は、連続的であり、前記カーブした下部縫目と前記側部縫目との間の曲率の徐々の変化を含む。
【００２２】
第１８の態様では、第１５の態様〜第１７の態様のいずれかによると、前記ポーチ部を前記カーブした下部縫目で前記ガセット部に接続するステップは、前記ポーチ部の前記丸みを帯びた下部外縁部に少なくとも部分的に沿うロックステッチで前記ポーチ部を前記ガセット部に接続するステップを備える。
【００２３】
第１９の態様では、下着は、実質的にチューブ状を有し、使用者の胴を少なくとも部分的に囲むように構成された本体を備え、前記本体は：前記本体の前表面の周りのポーチ部であって、前記ポーチ部は、前記ポーチ部の第１の下方長手方向端部に丸みを帯びた下部外縁部を有するＵ字形の周囲を備える、前記ポーチ部と；前記ポーチ部の前記丸みを帯びた下部外縁部を少なくとも部分的に縁取るガセット部であって、前記ガセット部は、前記ガセット部の前部に、前記ポーチ部の前記丸みを帯びた下部外縁部の側端部から前記本体の下方長手方向端部に延在する、ガセット側部縫目を備える、前記ガセット部と；を備える。
【００２４】
第２０の態様では、第１９の態様によると、前記ポーチ部は、前記ポーチ部の側部で本体パネルに接続する。
【００２５】
第２１の態様では、第１９の態様又は第２０の態様によると、前記ガセット部は、前記ガセット側部縫目で前記本体パネルに接続する。
【００２６】
態様によっては、下着は、実質的にチューブ状を有し、使用者の胴を少なくとも部分的に取り囲むように構成された本体を含む。本体は、本体の前表面周りにポーチ部とガセット部を含む。ポーチ部は、ポーチ部の側部で本体パネルに接続され、ポーチ部は、ポーチ部の第１の下方長手方向端部に丸みを帯びた下部外縁部を有し、ポーチ部のＵ字型の周囲を形成する。ガセット部は、ポーチ部の丸みを帯びた下部外縁部を少なくとも部分的に縁取る。
【００２７】
この及び他の態様は、１つ又は複数の以下の特徴を含むことができる。ポーチ部は、ポーチ部を本体パネルにポーチ部の側部で接続する側部縫目と、丸みを帯びた下部外縁部に沿ってカーブした下部縫目とを含むことができ、カーブした下部縫目は、ポーチ部をガセット部に接続する。カーブした下部縫目から側部縫目への移行は、連続的であり得、カーブした下部縫目と側部縫目との間の曲率の徐々の変化を含むことができる。ガセット部は、ガセット部の前部に、ポーチ部から本体の下方長手方向端部に延在するガセット側部縫目を含むことができ、ガセット側部縫目は、ポーチ部の側部縫目とカーブした下部縫目との交点でポーチ部に接続する。丸みを帯びた下部外縁部の上方端部間の、ポーチ部の第１の長手方向下方幅は、ポーチ部の長手方向上半分における、ポーチ部の側部間の、ポーチ部の第２の長手方向上方幅よりも大きくすることができる。ポーチ部のカーブした下部縫目は、カーブした下部縫目の長さの少なくとも一部に沿ってロックステッチを含むことができる。カーブした下部縫目は、カーブした下部縫目の全体の長さに沿ってロックステッチを含むことができる。ポーチ部は、ポーチ部の第１の下方長手方向端部から第２の上方長手方向端部まで長手方向に延在する中央縫目を含むことができる。ポーチ部は、フライ開口部を含むことができる。本体は、第１の脚部と第１の脚部に実質的に平行な第２の脚部を含むことができ、第１の脚部と第２の脚部は、本体の第１の長手方向端部に向かって延在する。下着は、第１の長手方向端部の反対側の本体の第２の長手方向端部で本体に取り付けられたウエストバンドを含むことができる。ガセット部は、第１の脚部と第２の脚部の隙間に沿って少なくとも部分的に縫い付けられることができる。下着は、ボクサーブリーフであり得る。ポーチ部、本体パネル、及び、ガセット部は、少なくとも５％のスパンデックスを備える生地から形成することができる。
【００２８】
本開示の特定の態様は、下着を作製するための方法を包含する。当該方法は、下着のポーチ部を形成するステップであって、ポーチ部は、ポーチ部の第１の下方長手方向端部に丸みを帯びた下部外縁部を有するＵ字形の周囲を備える、形成するステップと；ポーチ部を、ポーチ部の丸みを帯びた下部外縁部に少なくとも部分的に沿うカーブした下部縫目でガセット部に接続するステップと；ポーチ部を、ポーチ部の側部縫目に沿って下着の本体パネルに接続するステップであって、側部縫目は、カーブした下部縫目の側端部から延在する、接続するステップと；を備える。
【００２９】
この及び他の態様は、１つ又は複数の以下の特徴を含むことができる。当該方法は、ガセット部のガセット側部縫目を本体部に接続するステップであって、ガセット側部縫目は、ガセット部の前部に配置され、ポーチ部から下着の下方長手方向端部まで延在し、ガセット側部縫目は、ポーチ部の側部縫目とカーブした下部縫目との交点でポーチ部に接続される、接続するステップを含むことができる。ポーチ部のカーブした下部縫目から側部縫目への移行は、連続的であり得、カーブした下部縫目と側部縫目との間の曲率の徐々の変化を含むことができる。ポーチ部をカーブした下部縫目でガセット部に接続するステップは、ポーチ部の丸みを帯びた下部外縁部に少なくとも部分的に沿うロックステッチでポーチ部をガセット部に接続するステップを含むことができる。
【００３０】
態様によっては、下着は、実質的にチューブ状を有し、使用者の胴を少なくとも部分的に囲むように構成された本体を含むことができる。本体は：本体の前表面の周りのポーチ部であって、ポーチ部は、ポーチ部の第１の下方長手方向端部に丸みを帯びた下部外縁部を有するＵ字形の周囲を含む、ポーチ部と；ポーチ部の丸みを帯びた下部外縁部を少なくとも部分的に縁取るガセット部と；を含む。ガセット部は、ガセット部の前部に、ポーチ部の丸みを帯びた下部外縁部の側端部から本体の下方長手方向端部に延在する、ガセット側部縫目を含む。
【００３１】
この及び他の態様は、１つ又は複数の以下の特徴を含むことができる。ポーチ部は、ポーチ部の側部で本体パネルに接続することができる。ガセット部は、ガセット側部縫目で本体パネルに接続することができる。
【００３２】
本開示に記載されている主題の１つ又は複数の実施の詳細は、添付の図面及び以下の説明に記載されている。主題の他の特徴、態様、及び利点は、説明、図面、及び他特許請求の範囲から明らかになるであろう。
【図面の簡単な説明】
【００３３】
【図１】図１は、例示の下着の正面斜視図である。
【００３４】
【図２】図２は、例示の下着の正面図である。
【図３】図３は、例示の下着の背面図である。
【００３５】
【図４Ａ】図４Ａは、例示の下着の左側面図である。
【図４Ｂ】図４Ｂは、例示の下着の右側面図である。
【００３６】
【図５Ａ】図５Ａは、例示の下着の上面図である。
【図５Ｂ】図５Ｂは、例示の下着の下面図である。
【００３７】
【図６Ａ】図６Ａは、例示の下着の概略正面図である。
【図６Ｂ】図６Ｂは、例示の下着の概略背面図である。
【００３８】
【図７】図７は、下着を作製する例示の方法のフローチャートである。
【００３９】
様々な図面での同様の参照番号及び名称は、同様の要素（エレメント）を示す。
【発明を実施するための形態】
【００４０】
本開示は、男性（例えば、男子及び男児）用下着、例えば、下着の使用者の動作（例えば、日常の活動、運動、及び／又はその他）の間、男性の解剖学的構造をサポートするための下着を記載する。例示の下着は、下着の着用者に対し柔軟性と快適さを可能にする、正面ポーチ部及びガセット部を含む。正面ポーチ部は、丸みを帯びた下部外縁部を持つＵ字型の周囲を有し、正面ポーチ部は、ポーチの上部よりもポーチの下部近くでわずかに広くなっている。ガセット部は、ポーチ部の下部でＵ字型の周囲の丸みを帯びた下部外縁部を補強し、ガセット部とポーチ部を結合する縫い付けられた縫目はロックステッチを含むことができる。Ｕ字型のポーチ周囲と、接続された形状のガセットを持つ３Ｄ凸型ポーチは、着用者により快適さをもたらし、例えば、ポーチのＵ字型は、着用者の男性の解剖学的構造をより自然に取り囲み、サポートし、着用者の体形に合わせた、より人間工学的な、カスタマイズされたフィット感をもたらす。場合によっては、Ｕ字型のポーチは、従来の下着のポーチよりも着用者の身体の下方に伸び、例えば、着用者の男性の解剖学的構造や、ポーチとガセットの人間工学的デザインのために追加のスペースを提供する。例によっては、開示されたポーチとガセットを持つ下着は、着用者の男性の解剖学的構造と身体との間の擦れを低減することによって、着用者の擦傷のリスクを低減する。例えば、凸型ポーチ及びＵ字型の周囲は、生地バリアを形成し、快適さを高め、ブリーフのサポートを与える。
【００４１】
図１は例示の下着１００の正面斜視図であり、図２及び３はそれぞれ例示の下着１００の正面図及び背面図である。下着は、ミドルサイ丈のボクサーブリーフスタイルの下着として示されている。しかし、例示の下着１００は、ブリーフ、ボクサー、トランクス、ローサイ丈アンダーウェア、ベースレイヤー又はサーマルロングアンダーウェア、水着又はランニングショーツ用のライナー、及び／又は他の下着タイプなどの様々なスタイルをとることができる。例示の下着１００は、本体１０２の第１の上方長手方向端部１０４において、部分的に又は完全に下着１００の着用者の胴を取り囲む、実質的にチューブ状を有する本体１０２を含む。例示の下着１００はまた、第１の上方長手方向端部１０４において、本体１０２に（例えば、接着で、縫製で、一体化で、及び／又はその他の結合で）接続されたウエストバンド１０８を含む。例によっては、ウエストバンドは、覆われた弾性体、又は本体１０２の延長であり折り返した共布のウエストバンドを含むことができる。本体１０２は、第１の長手方向端部１０４の反対側の、本体１０２の第２の下方長手方向端部１０６に脚部１１０を形成する。本開示において、長手方向は、本体１０２の第１の長手方向端部１０４と第２の長手方向端部１０６との間（すなわち、本体１０２に沿った、ウエストバンド１０８と脚部１１０との間）に実質的に延在する方向として定義される。同様に、横（短手）方向は、本体１０２の表面に沿って、又はそれに接して、長手方向に実質的に垂直に延びる方向として定義される。図４Ａ及び４Ｂは、例示の下着１００の左側面図及び右側面図であり、図５Ａ及び５Ｂは、例示の下着１００の上面図及び下面図である。
【００４２】
例示の下着１００の本体１０２は、共に結合される生地部分から形成されて、本体１０２の形状を形成する。図１−５Ｂの例示の下着１００を参照すると、本体１０２は、ポーチ部１１２、本体パネル１１４、及びガセット部１１６を含む。下着１００を着用した着用者においては、ポーチ部１１２は着用者の男性の解剖学的構造に面して配置され、ガセット部１１６は着用者のクロッチ（また）領域及び着用者の脚の内側大腿（サイ）部に配置され、本体パネル１１４は、本体１０２の残りの部分を形成し、着用者の上腿（例えば、正面の、側面の、及び背面の大腿（サイ））、臀部、及び胴の側面に面して配置される。
【００４３】
例示の下着１００のポーチ部１１２は、着用者の男性の解剖学的構造に面するように構成される。ポーチ部１１２は、一般的にＵ字型のパネルであり本体１０２の前表面周りに配置され、ポーチ部１１２は、ポーチ部１１２の側部（例えば、左側部１１８ａ及び右側部１１８ｂ）で本体１０２の本体パネル１１４に接続する。ポーチ部１１２は、ポーチ部１１２の横方向の中心を通る、ポーチ部１１２に沿って長手方向に延びる中心線を横断して、実質的に対称である。ポーチ部１１２は、ポーチ１１２の下方長手方向端部として、図１及び図２に示されるように、横方向の中心及びポーチ部１１２の第１の長手方向端部に丸みを帯びた下部外縁部１２０を有する。丸みを帯びた下部外縁部１２０は、ポーチ１１２のＵ字形の丸みを帯びてカーブした下部を形成する。図１−５Ｂの例示の下着１００では、丸みを帯びた下部外縁部１２０は、丸みを帯びた下部外縁部１２０の長さの少なくとも一部（例えば、大部分又は全部）に沿って一定半径の曲率を有する、半円形である。実施によっては、丸みを帯びた下部外縁部１２０は、半円形、半楕円形、放物線状、楕円形、弧状（例えば、２０度から１８０度の間の円弧形状又は楕円弧形状を有する）形状、又は他の丸みを帯びた形状を有することができる。図６Ａ及び６Ｂは、それぞれ例示の下着１００の概略正面図及び概略背面図である。図６Ａは、ラベル付けされた基準の長さＡ、Ｂ、Ｃ、及びＤを含み、Ａは丸みを帯びた下部外縁部１２０の横方向半径を表し、Ｂは丸みを帯びた下部外縁部１２０の長手方向半径を表し、Ｃは丸みを帯びた下部外縁部１２０のカーブした長さを表し、及び、Ｄは丸みを帯びた下部外縁部１２０のおおよその端部間である、ポーチ１１２の生地の長さである。長さＡ及びＢは、同一とすることも又は異なることもできる。例によっては、半径Ｂと半径Ａの差は８０％から１２０％の範囲とすることができ、８０％は横方向半径Ａが長手方向半径Ｂの長さの８０％であることを意味し、１００％はＡとＢが等しい長さである（及び丸みを帯びた下部外縁部１２０は一定の半径の曲率を有する）ことを意味し、及び、１２０％は横方向半径Ａが長手方向半径Ｂの長さの１２０％であることを意味する。特定の例では、長さＤは、１００％の長さの最小距離（例えば、ポーチ１１２がフラット（平）であり、距離Ｄが一般に丸みを帯びた下部外縁部１２０の端部の間の生地の直線によって表される場合）から最大２５０％（例えば、ポーチ１１２が外側に凸状であり、距離Ｄが最小長さの２５０％の長さを有する生地のカーブしたラインによって表される場合）の範囲とすることができる。例えば、ポーチ部１１２の外向きに凸の形状は、ポーチ部１１２の外向きの突出を提供できる。外向きの突出は様々なサイズとすることができ、例えば、男性のミディアムサイズのボクサーショーツとしては、０．９インチ（２．２８６ｃｍ）などの０インチから１インチ（２．５４ｃｍ）の間とすることができる。
【００４４】
例示の下着１００のポーチ部１１２の丸みを帯びた下部外縁部１２０は、ポーチ１１２の左側部１１８ａ及び右側部１１８ｂに連続する丸みを帯びた形状を有し、ポーチ部１１２のＵ字型の周囲を形成する。言い換えると、ポーチ１１２の左側部１１８ａ、丸みを帯びた下部外縁部１２０、及び右側部１１８ｂは、連続的であって、周囲の長さに沿って曲率が徐々に変化し、ポーチ１１２の部分的周囲を形成する。ポーチ部１１２の周囲の残りの部分（例えば、Ｕ字型の部分的周囲以外）はウエストバンド１０８に隣接する。部分的周囲は、丸みを帯びた下部外縁部１２０と側部１１８ａ及び１１８ｂとの間の鋭角の移行を除外し、丸みを帯びた下部外縁部１２０の長さに沿った先のとがった不連続性を除外する。例えば、下部外縁部１２０と側部１１８ａ及び１１８ｂとの間の移行は、連続的で穏やかであり、下部外縁部１２０の丸みを帯びた形状は、徐々に側部１１８ａ及び１１８ｂの形状（例えば、カーブ又は直線）に移行する（例えば曲率半径が徐々に増加する）。側部１１８ａ及び１１８ｂは、丸みを帯びた下部外縁部１２０よりもより曲率の程度が小さい（例えば、曲率半径が大きい）。特定の例では、側部１１８ａ及び１１８ｂは、実質的に真っ直ぐであり、ポーチ１１２のＵ字形の周囲は、丸みを帯びた下部外縁部１２０のより鋭いカーブ（例えば、より小さい曲率半径）から側部１１８ａ及び１１８ｂのより直線又はより直線に近い曲線（例えば、より大きな曲率半径）へ移行する、曲率半径を有する。
【００４５】
実施によっては、丸みを帯びた下部外縁部１２０と側部１１８ａ及び１１８ｂとの間の移行は、曲率半径が変化するポーチ部１１２の周囲に沿うポイントによって定義される。例えば、丸みを帯びた下部外縁部１２０は、前述のように、その長さに沿って一定又は実質的に一定の曲率半径を持つ半円形状を含むことができる。移行ポイントは、丸みを帯びた下部外縁部１２０の端部（複数）として定義でき、曲率半径は、半円形状（又は他のカーブした形状）の曲率半径から側部１１８ａ及び１１８ｂの曲率半径に向かって増加する。丸みを帯びた下部外縁部１２０の長さは、変えることができる。例えば、丸みを帯びた下部外縁部は、２インチ（５．０８ｃｍ）から８インチ（２０．３２ｃｍ）の間、例えば６インチ（１５．２４ｃｍ）の、カーブに沿う長さを有することができる。実施によっては、丸みを帯びた下部外縁部１２０の長さ（長さ「Ｃ」として図６Ａに示されている）は、ポーチ部１１２の全Ｕ字型の周囲（例えば、左側部１１８ａのウエストバンドポイントから右側部１１８ｂのウエストバンドポイント）の２４％から３８％の間である。例えば、丸みを帯びた下部外縁部１２０の長さは、ポーチ１１２のＵ字形の周囲の全長の約３分の１（例えば、約３３％）とすることができる。
【００４６】
例示の下着１００のポーチ部１１２の側部１１８ａ及び１１８ｂは、様々な形状をとることができる。図２では、側部１１８ａ及び１１８ｂは、側部１１８ａ及び１１８ｂがポーチ部１１２の第２の上方長手方向端部に向かって（例えば、本体１０２の上方長手方向端部１０４に向かって）延びるにつれて、側部１１８ａ及び１１８ｂがポーチ部１１２の横方向の中心に向かって内側にカーブするようにわずかなカーブを持つように示されている。しかし、側部１１８ａ及び１１８ｂの形状は、異なることもできる。例えば、側部１１８ａ及び１１８ｂは、丸みを帯びた下部外縁部１２０の端部と本体１０２の上方長手方向端部１０４（すなわち、ウェストバンド１０８）との間で線形であり得る、図２の例示の下着１００に示されるよりも側部１１８ａ及び１１８ｂの長さに沿ってよりとがったカーブを含むことができる、ポーチ部１１２の横方向の中心から離れて外向きにカーブすることができる、又は異なる形状をとることができる。
【００４７】
実施によっては、ポーチ部１１２の横方向の幅は、丸みを帯びた下部外縁部１２０の端部と側部１１８ａ及び１１８ｂとの間の移行ポイントから、ポーチ部１１２の上方長手方向端部へ、減少する。例えば、丸みを帯びた下部外縁部１２０の上方端部間の横方向の幅などの、ポーチ部１１２の長手方向の下半分におけるポーチ部１１２の第１の横方向の幅は、ポーチ部１１２の長手方向上半分におけるポーチ部１１２の第２の横方向の幅よりも大きく、その横方向の幅はポーチ部１１２の側部１１８ａと１１８ｂとの間で測定される。ポーチ部１１２の形状は、上方横方向の幅よりも大きい下方横方向の幅を有するなど、後により詳細に記載されるように、下着の着用者に強化されたフィット感及び快適さを提供することができる。
【００４８】
側部縫目（すなわち、左側部縫目１１９ａ及び右側部縫目１１９ｂ）は、例示の下着１００のポーチ部１１２の側部１１８ａ及び１１８ｂを本体パネル１１４に接続する。本体パネル１１４は、ポーチ１１２の左側部１１８ａから横方向に本体１０２に沿って本体１０２の背面へ延在し、更に、本体１０２の前表面及びポーチ１１２の右側部１１８ｂまで、囲むように戻って延在する。本体パネル１１４は、実質的に下着１００の着用者を取り囲む。本体パネル１１４とポーチ１１２は、一体に結合されると（例えば、側部縫目１１９ａ及び１１９ｂで）、完全に着用者を取り囲むように構成される。図１〜６Ｂでは、本体パネル１１４は、左側部縫目１１９ａから本体１０２の背面を周り右側部縫目１１９ｂまで、横方向の長さにそって延在する、縫目又は他の不連続性のない実質的に連続した生地パネルとして示されている。しかし、本体パネル１１４は、様々なフォームをとることができ、本体パネル１１４の断続的な縫目、融着性生地の接続、裁断及び縫製（カット＆ソー）の生地片、又は他の不連続性を含むことができる。例えば、本体パネル１１４は、一緒に編まれ、一緒に縫い合わされ、及び／又はさもなければ一緒に結合されて、複数の生地片から形成され、本体１０２の残りの部分（ポーチ部１１２とガセット部１１６以外）を形成することができる。
【００４９】
例示の下着１００のガセット部１１６は、脚部１１０の間に延在する生地パネルであり、本体パネル１１４に結合し、本体１０２の第２の下方長手方向端部１０６の一部を形成する。ガセット部１１６はまた、少なくとも部分的にポーチ１１２の丸みを帯びた下部外縁部１２０に隣接する。カーブした下部縫目１２２は、ポーチ部１１２の丸みを帯びた下部外縁部１２０の全て又は一部に沿って、ポーチ部１１２をガセット部１１６に接続する。ガセット部１１６はまた、ガセット側部縫目１２４で本体パネル１１４に接続する。ガセット側部縫目１２４は、ガセット部１１６の前部に配置され、ポーチ部１１２の周囲から本体１０２の下方長手方向端部１０６まで延在する。実施によっては、ガセット側部縫目１２４は、側部縫目１１９ａ及び１１９ｂとカーブした下部縫目１２２との交点でポーチ部１１２に接続する。
【００５０】
ガセット部１１６はまた、下着１００の背面で本体パネル１１４に接続する背面縫目１２６を含む。背面縫目１２６は、アーチ形状、又は逆Ｕ字形である。特定の例では、ガセット部１１６は、ガセット側部縫目１２４と背面縫目１２６で本体パネル１１４に接続し、本体１０２の第２の長手方向端部１０６で脚部１１０の実質的に円筒のチューブ形状を形成する。各脚部１１０は、本体１０２の第２の長手方向端部１０６に脚開口部を有し、側部縫目１２４と背面縫目１２６によって互いに接続された、本体パネル１１４とガセット部１１６によって部分的に定義される。ガセット部１１６は、脚開口部の間に人間工学の形状を有し、例えば、下着１００の着用者の身体のカーブした形状によりフィットする。ガセット側部縫目１２４は、背面縫目１２６よりも下着１００の横方向の中心からより横方向に外側に向かって配置され、延在する。場合によっては、ガセット部１１６の正面領域（例えば、下着１００の前半分のガセット部１１６の部分）は、ガセット部１１６の背面領域（例えば、下着１００の後半分のガセット部１１６の部分）よりも大きい。
【００５１】
例示の下着１００は、男性の着用者によって使用することができる。したがって、ポーチ部１１２は、着用者の男性の解剖学的構造を受け入れてサポートするように構成することができる。場合によっては、カーブした下部縫目１２２は、例えば、ポーチ部１１２とガセット部１１６との間のより強固な接続を提供し、下着１００が着用者により着用されているときには着用者の男性の解剖学的構造の下で追加のサポートを提供するために、追加のロックステッチを含む。場合によっては、ロックステッチは、下部縫目１２２の伸びを低減又は制限して、下部縫目１２２を安定させ、及び／又は、カーブした下部縫目１２２に隣接するポーチ部１１２の下部及びガセット部１１６（又はその両方）における動きを低減又は制限し、下着１００の着用者の男性の解剖学的構造の下にさらなるサポートを追加する。ロックステッチは、カーブした下部縫目１２２の長さの一部又は全体、例えばガセット側部縫目１２４間、に沿って延在することができる。
【００５２】
実施によっては、例示の下着１００のポーチ部１１２は、フライ開口部１２８を含む。フライ開口部１２８は、ポーチ部１１２を作り上げる２枚の生地片の部分的な重なりによって形成することができる。他の実施によっては、フライ開口部１２８は除外することができ、ポーチ部１１２は、開口部なしでポーチ部１１２の左側部１１８ａから右側部１１８ｂに延在する１つ又は複数の生地パネルから形成することができる。
【００５３】
例示の下着１００のポーチ部１１２は、外向きに伸びる凸形状を形成するように構成され、下着１００の着用者の男性の解剖学的構造を保持し及びサポートするポーチ状のポケットを形成する。実施によっては、ポーチ部１１２は、ポーチ部１１２の横方向の中心でポーチ部１１２に沿って長手方向に延在する中央縫目１３０を含む。中央縫目１３０は、ポーチ部１１２の第１の下方長手方向端部からポーチ部１１２の第２の上方長手方向端部へ長手方向に延在する。中央縫目１３０は、ポーチ部１１２にバイアスをかけてその凸形状を作成及び維持することができ、場合によっては、ポーチ部１１２に追加のサポート及び強度を提供することができる。例えば、ポーチ部１１２の実施によっては、中央縫目１３０と共に縫い付けられた２つの逆にカーブしたポーチパターン片を含み、中央縫目１３０は、２つのカーブするポーチ片からポーチ部１１２の３Ｄ凸形状を促進させることができる。実施によっては、中央縫目１３０は、ダーツを含む（又はダーツと交換する）ことができ、又は、ポーチ１１２は中央縫目を完全に除外することができる。上方横幅よりも大きい下方横幅を有するなどの、ポーチ部１１２の形状は、下着の着用者に強化されたフィット感及び快適さを提供することができる。例えば、ポーチ１１２のより広い下部は、ポーチ１１２のカーブした、凸形状及び中央縫目１３０と共同して、３Ｄポーチ形状を形成し、男性の解剖学的構造を保持する。ポーチ１１２が着用者の男性の解剖学的構造によって満たされる又は形成されると、側部縫目１１９ａ及び１１９ｂが真っ直ぐになり、これは、フライ（前立て）開口部１２８を機能的なフライ（前立て）使用の位置に配置するのに役立つことができる。
【００５４】
例示の下着１００の本体１０２は、エラストマー又はストレッチニット生地などの、複数の異なる材料及び生地から形成することができる。そのような生地は、例えば、綿、ポリエステル、ナイロン、スパンデックス、ビスコース、モーダル、リヨセル、及び／又はレーヨンの繊維糸の様々な組み合わせによって作製され、柔らかさ、快適さ、及び所望の伸縮特性を提供することができる。生地は、ジャージー、リブ、メッシュ、及び／又は他のニットのテクスチャ及び構造などの様々なニットタイプで編むことができる。例えば、例示の下着１００の本体１０２は、１％以上のスパンデックス（例えば、少なくとも５％のスパンデックス）を有するストレッチ生地から形成して、生地に柔軟性を提供し、着用者に快適さを提供することができる。実施によっては、生地は、生地に伸縮性の要素を提供する機械的伸縮性を有するニット生地である。機械的伸縮性は、編物のゲージ、テクスチャ（リブ構造など）、又はその両方を介して追加の弾力性を生成する生地の編物構造として定義できる。例えば、細かいリブパターンを持つ生地ニットは、生地に機械的な伸縮性を与えることができる。
【００５５】
図７は、下着、例えば、図１−６Ｂの例示の下着１００を作製する例示の方法２００を記載するフローチャートである。ステップ２０２において、下着のポーチ部が形成され、ポーチ部は、ポーチ部の第１の下方長手方向端部に、丸みを帯びたＵ字型の周囲を有する。ステップ２０４において、ポーチ部は少なくとも部分的にポーチ部のＵ字型の周囲に沿って、カーブした下部縫目でガセット部に接続される。ステップ２０６において、ポーチ部は、ポーチ部の側部縫目に沿って下着の本体パネルに接続され、側部縫目は、カーブした下部縫目の側端部から延在する。下着の製造順序は変えることができる。実施によっては、下着１００は、最初にポーチ部１１２を構成し（例えば、中央縫目１３０で生地パネルを縫い合わせてポーチ部１１２を形成する）、次にガセット部１１６を脚部１１０の正面で本体パネル１１４に取り付け（例えば、ガセット側部縫目１２４で）、次にポーチ部１１２を本体パネル１１４及びガセット部１１６に取り付け、任意で、カーブした下部縫目１２２を丸みを帯びた下部外縁部１２０にロックステッチし、次にガセット１１６を衣類の背面（例えば、背面ガセット縫目１２６）で本体パネル１１４に縫い付けることによって、形成することができる。
【００５６】
複数の実施が記載されている。にもかかわらず、本開示の精神及び範囲から逸脱することなく、様々な修正が行われ得ることが理解されるであろう。
【図１】
2021535287.tif 000003
【図２】
2021535287.tif 000004
【図３】
2021535287.tif 000005
【図４Ａ】
2021535287.tif 000006
【図４Ｂ】
2021535287.tif 000007
【図５Ａ】
2021535287.tif 000008
【図５Ｂ】
2021535287.tif 000009
【図６Ａ】
2021535287.tif 000010
【図６Ｂ】
2021535287.tif 000011
【図７】
2021535287.tif 000012
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
実質的にチューブ状を有し、使用者の胴を少なくとも部分的に取り囲むように構成された本体；を備え、
前記本体は：
前記本体の前表面周りのポーチ部であって、前記ポーチ部は、前記ポーチ部の側部で本体パネルに接続され、前記ポーチ部は、前記ポーチ部の第１の下方長手方向端部に丸みを帯びた下部外縁部を有し、前記ポーチ部のＵ字型の周囲を形成する、前記ポーチ部と；
前記ポーチ部の前記丸みを帯びた下部外縁部を少なくとも部分的に縁取るガセット部と；を備える、
下着。
【請求項２】
前記ポーチ部は、前記ポーチ部を前記ポーチ部の前記側部で前記本体パネルに接続する側部縫目と、前記丸みを帯びた下部外縁部に沿ってカーブした下部縫目とを備え、前記カーブした下部縫目は、前記ポーチ部を前記ガセット部に接続する、
請求項１に記載の下着。
【請求項３】
前記カーブした下部縫目から前記側部縫目への移行は、連続的であり、前記カーブした下部縫目と前記側部縫目との間の曲率の徐々の変化を含む、
請求項２に記載の下着。
【請求項４】
前記ガセット部は、前記ガセット部の前部に、前記ポーチ部から前記本体の下方長手方向端部に延在するガセット側部縫目を備え、前記ガセット側部縫目は、前記ポーチ部の前記側部縫目と前記カーブした下部縫目との交点で前記ポーチ部に接続される、
請求項２又は請求項３に記載の下着。
【請求項５】
前記丸みを帯びた下部外縁部の上方端部間の、前記ポーチ部の第１の長手方向下方幅は、前記ポーチ部の長手方向上半分における、前記ポーチ部の前記側部間の、前記ポーチ部の第２の長手方向上方幅よりも大きい、
請求項２〜請求項４のいずれかに記載の下着。
【請求項６】
前記ポーチ部の前記カーブした下部縫目は、前記カーブした下部縫目の長さの少なくとも一部に沿ってロックステッチを備える、
請求項２〜請求項５のいずれかに記載の下着。
【請求項７】
前記カーブした下部縫目は、前記カーブした下部縫目の全体の長さに沿って前記ロックステッチを備える、
請求項６に記載の下着。
【請求項８】
前記ポーチ部は、前記ポーチ部の前記第１の下方長手方向端部から第２の上方長手方向端部まで長手方向に延在する中央縫目を備える、
請求項１〜請求項７のいずれかに記載の下着。
【請求項９】
前記ポーチ部は、フライ開口部を備える、
請求項１〜請求項８のいずれかに記載の下着。
【請求項１０】
前記本体は、第１の脚部と前記第１の脚部に実質的に平行な第２の脚部を備え、前記第１の脚部と前記第２の脚部は、前記本体の第１の長手方向端部に向かって延在する、
請求項１〜請求項９のいずれかに記載の下着。
【請求項１１】
第１の長手方向端部の反対側の前記本体の第２の長手方向端部で前記本体に取り付けられたウエストバンドを更に備える、
請求項１〜請求項１０のいずれかに記載の下着。
【請求項１２】
前記ガセット部は、第１の脚部と第２の脚部の隙間に沿って少なくとも部分的に縫い付けられている、
請求項１０又は請求項１１に記載の下着。
【請求項１３】
前記下着は、ボクサーブリーフである、
請求項１〜請求項１２のいずれかに記載の下着。
【請求項１４】
前記ポーチ部、前記本体パネル、及び、前記ガセット部は、少なくとも５％のスパンデックスを備える生地から形成される、
請求項１〜請求項１３のいずれかに記載の下着。
【請求項１５】
下着のポーチ部を形成するステップであって、前記ポーチ部は、前記ポーチ部の第１の下方長手方向端部に丸みを帯びた下部外縁部を有するＵ字形の周囲を備える、前記形成するステップと；
前記ポーチ部を、前記ポーチ部の前記丸みを帯びた下部外縁部に少なくとも部分的に沿うカーブした下部縫目でガセット部に接続するステップと；
前記ポーチ部を、前記ポーチ部の側部縫目に沿って前記下着の本体パネルに接続するステップであって、前記側部縫目は、前記カーブした下部縫目の側端部から延在する、前記接続するステップと；を備える、
下着を作製する方法。
【請求項１６】
前記ガセット部のガセット側部縫目を前記本体パネルに接続するステップであって、前記ガセット側部縫目は、前記ガセット部の前部に配置され、前記ポーチ部から前記下着の下方長手方向端部まで延在し、前記ガセット側部縫目は、前記ポーチ部の前記側部縫目と前記カーブした下部縫目との交点で前記ポーチ部に接続される、前記接続するステップを備える、
請求項１５に記載の方法。
【請求項１７】
前記ポーチ部の前記カーブした下部縫目から前記側部縫目への移行は、連続的であり、前記カーブした下部縫目と前記側部縫目との間の曲率の徐々の変化を含む、
請求項１５又は請求項１６に記載の方法。
【請求項１８】
前記ポーチ部を前記カーブした下部縫目で前記ガセット部に接続するステップは、前記ポーチ部の前記丸みを帯びた下部外縁部に少なくとも部分的に沿うロックステッチで前記ポーチ部を前記ガセット部に接続するステップを備える、
請求項１５〜請求項１７のいずれかに記載の方法。
【請求項１９】
実質的にチューブ状を有し、使用者の胴を少なくとも部分的に囲むように構成された本体を備え、
前記本体は：
前記本体の前表面の周りのポーチ部であって、前記ポーチ部は、前記ポーチ部の第１の下方長手方向端部に丸みを帯びた下部外縁部を有するＵ字形の周囲を備える、前記ポーチ部と；
前記本体の前記前表面の前記ポーチ部の前記丸みを帯びた下部外縁部を少なくとも部分的に縁取り、前記本体の後表面へ延在するガセット部であって、前記ガセット部は、前記ガセット部の前部に、前記ポーチ部の前記丸みを帯びた下部外縁部の側端部から前記本体の下方長手方向端部に延在する、ガセット側部縫目を備える、前記ガセット部と；を備える、
下着。
【請求項２０】
前記ポーチ部は、前記ポーチ部の側部で本体パネルに接続する、
請求項１９に記載の下着。
【請求項２１】
前記ガセット部は、前記ガセット側部縫目で本体パネルに接続する、
請求項１９又は請求項２０に記載の下着。
【請求項２２】
前記ガセット側部縫目は、前記丸みを帯びた下部外縁部の上方端部で、前記ポーチ部に接続し、
前記ガセット側部縫目間での前記ポーチ部の第１の横方向の幅は、前記ポーチ部の長手方向上半分における、前記ポーチ部の第２の長手方向上方の横方向の幅よりも大きい、
請求項１９に記載の下着。
【請求項２３】
前記ガセット部は、前記ガセット部の背面縫目で本体パネルに接続し、
前記ガセット側部縫目は、前記背面縫目よりも前記下着の横方向の中心からより横方向に外側に向かって配置され、延在する、
請求項１９に記載の下着。
【請求項２４】
前記本体の前記前表面の前記ガセット部の前側頂点は、前記本体の前記後表面の前記ガセット部の後側頂点が前記本体の上部端に対するよりも、前記本体の前記上部端に著しく近い、
請求項１９に記載の下着。
【請求項２５】
前記ガセット側部縫目間での前記ポーチ部の第１の横方向の幅は、前記ポーチ部の長手方向上半分における、前記ポーチ部の第２の長手方向上方の横方向の幅よりも大きい、
請求項４に記載の下着。
【請求項２６】
前記本体パネルは、縫い目が介在することなく、前記ポーチ部の第１の側部から、横方向に前記本体の背面の周りに、前記ポーチ部の第２の側部まで、連続的に延在する、
請求項１に記載の下着。
【請求項２７】
前記ポーチ部の前記カーブした下部縫目は、前記ロックステッチを備え、
前記ポーチ部の前記側部縫目は、前記ロックステッチとは異なるステッチタイプを備える、
請求項６に記載の下着。
【請求項２８】
前記ガセット部は、前記本体の前記前表面の前記ポーチ部の前記丸みを帯びた下部外縁部を少なくとも部分的に縁取り、前記本体の後表面へ延在し、
前記ガセット部は、前記ガセット部の前部に、前記ポーチ部の前記丸みを帯びた下部外縁部の側端部から前記本体の下方長手方向端部に延在する、ガセット側部縫目を備え、
前記ガセット側部縫目は、前記丸みを帯びた下部外縁部の上方端部で前記ポーチ部に接続され、
前記本体の前記前表面の前記ガセット部の正面領域は、前記本体の前記後表面の前記ガセット部の背面領域よりも大きい、
請求項１に記載の下着。
【手続補正２】
【補正対象書類名】明細書
【補正対象項目名】００５６
【補正方法】変更
【補正の内容】
【００５６】
複数の実施が記載されている。にもかかわらず、本開示の精神及び範囲から逸脱することなく、様々な修正が行われ得ることが理解されるであろう。
［第１の局面］
実質的にチューブ状を有し、使用者の胴を少なくとも部分的に取り囲むように構成された本体；を備え、
前記本体は：
前記本体の前表面周りのポーチ部であって、前記ポーチ部は、前記ポーチ部の側部で本体パネルに接続され、前記ポーチ部は、前記ポーチ部の第１の下方長手方向端部に丸みを帯びた下部外縁部を有し、前記ポーチ部のＵ字型の周囲を形成する、前記ポーチ部と；
前記ポーチ部の前記丸みを帯びた下部外縁部を少なくとも部分的に縁取るガセット部と；を備える、
下着。
［第２の局面］
前記ポーチ部は、前記ポーチ部を前記ポーチ部の側部で前記本体パネルに接続する側部縫目と、前記丸みを帯びた下部外縁部に沿ってカーブした下部縫目とを備え、前記カーブした下部縫目は、前記ポーチ部を前記ガセット部に接続する、
第１の局面に記載の下着。
［第３の局面］
前記カーブした下部縫目から前記側部縫目への移行は、連続的であり、前記カーブした下部縫目と前記側部縫目との間の曲率の徐々の変化を含む、
第２の局面に記載の下着。
［第４の局面］
前記ガセット部は、前記ガセット部の前部に、前記ポーチ部から前記本体の下方長手方向端部に延在するガセット側部縫目を備え、前記ガセット側部縫目は、前記ポーチ部の前記側部縫目と前記カーブした下部縫目との交点で前記ポーチ部に接続される、
第２の局面又は第３の局面に記載の下着。
［第５の局面］
前記丸みを帯びた下部外縁部の上方端部間の、前記ポーチ部の第１の長手方向下方幅は、前記ポーチ部の長手方向上半分における、前記ポーチ部の側部間の、前記ポーチ部の第２の長手方向上方幅よりも大きい、
第２の局面〜第４の局面のいずれかに記載の下着。
［第６の局面］
前記ポーチ部の前記カーブした下部縫目は、前記カーブした下部縫目の長さの少なくとも一部に沿ってロックステッチを備える、
第２の局面〜第５の局面のいずれかに記載の下着。
［第７の局面］
前記カーブした下部縫目は、前記カーブした下部縫目の全体の長さに沿って前記ロックステッチを備える、
第６の局面に記載の下着。
［第８の局面］
前記ポーチ部は、前記ポーチ部の前記第１の下方長手方向端部から第２の上方長手方向端部まで長手方向に延在する中央縫目を備える、
第１の局面〜第７の局面のいずれかに記載の下着。
［第９の局面］
前記ポーチ部は、フライ開口部を備える、
第１の局面〜第８の局面のいずれかに記載の下着。
［第１０の局面］
前記本体は、第１の脚部と前記第１の脚部に実質的に平行な第２の脚部を備え、前記第１の脚部と前記第２の脚部は、前記本体の第１の長手方向端部に向かって延在する、
第１の局面〜第９の局面のいずれかに記載の下着。
［第１１の局面］
第１の長手方向端部の反対側の前記本体の第２の長手方向端部で前記本体に取り付けられたウエストバンドを更に備える、
第１の局面〜第１０の局面のいずれかに記載の下着。
［第１２の局面］
前記ガセット部は、第１の脚部と第２の脚部の隙間に沿って少なくとも部分的に縫い付けられている、
第１０の局面又は第１１の局面に記載の下着。
［第１３の局面］
前記下着は、ボクサーブリーフである、
第１の局面〜第１２の局面のいずれかに記載の下着。
［第１４の局面］
前記ポーチ部、前記本体パネル、及び、前記ガセット部は、少なくとも５％のスパンデックスを備える生地から形成される、
第１の局面〜第１３の局面のいずれかに記載の下着。
［第１５の局面］
下着のポーチ部を形成するステップであって、前記ポーチ部は、前記ポーチ部の第１の下方長手方向端部に丸みを帯びた下部外縁部を有するＵ字形の周囲を備える、前記形成するステップと；
前記ポーチ部を、前記ポーチ部の前記丸みを帯びた下部外縁部に少なくとも部分的に沿うカーブした下部縫目でガセット部に接続するステップと；
前記ポーチ部を、前記ポーチ部の側部縫目に沿って前記下着の本体パネルに接続するステップであって、前記側部縫目は、前記カーブした下部縫目の側端部から延在する、前記接続するステップと；を備える、
下着を作製する方法。
［第１６の局面］
前記ガセット部のガセット側部縫目を本体部に接続するステップであって、前記ガセット側部縫目は、前記ガセット部の前部に配置され、前記ポーチ部から前記下着の下方長手方向端部まで延在し、前記ガセット側部縫目は、前記ポーチ部の前記側部縫目と前記カーブした下部縫目との交点で前記ポーチ部に接続される、前記接続するステップを備える、
第１５の局面に記載の方法。
［第１７の局面］
前記ポーチ部の前記カーブした下部縫目から前記側部縫目への移行は、連続的であり、前記カーブした下部縫目と前記側部縫目との間の曲率の徐々の変化を含む、
第１５の局面又は第１６の局面に記載の方法。
［第１８の局面］
前記ポーチ部を前記カーブした下部縫目で前記ガセット部に接続するステップは、前記ポーチ部の前記丸みを帯びた下部外縁部に少なくとも部分的に沿うロックステッチで前記ポーチ部を前記ガセット部に接続するステップを備える、
第１５の局面〜第１７の局面のいずれかに記載の方法。
［第１９の局面］
実質的にチューブ状を有し、使用者の胴を少なくとも部分的に囲むように構成された本体を備え、
前記本体は：
前記本体の前表面の周りのポーチ部であって、前記ポーチ部は、前記ポーチ部の第１の下方長手方向端部に丸みを帯びた下部外縁部を有するＵ字形の周囲を備える、前記ポーチ部と；
前記ポーチ部の前記丸みを帯びた下部外縁部を少なくとも部分的に縁取るガセット部であって、前記ガセット部は、前記ガセット部の前部に、前記ポーチ部の前記丸みを帯びた下部外縁部の側端部から前記本体の下方長手方向端部に延在する、ガセット側部縫目を備える、前記ガセット部と；を備える、
下着。
［第２０の局面］
前記ポーチ部は、前記ポーチ部の側部で本体パネルに接続する、
第１９の局面に記載の下着。
［第２１の局面］
前記ガセット部は、前記ガセット側部縫目で本体パネルに接続する、
第１９の局面又は第２０の局面に記載の下着。
【国際調査報告】
2021535287.tif 000013
2021535287.tif 000014
2021535287.tif 000015